(57)【要約】      （修正有）【課題】呼吸停止から心肺蘇生術を短時間で行うことが可能な心肺蘇生指示装置を提供する。【解決手段】心肺蘇生指示装置１は、胸部２を外装に描いている。また、心肺蘇生指示装置１は、音声発生装置を有している。胸部２の位置には、発光素子４を配置している。スライドスイッチ５，５のうち、いずれか一方をスライドさせることによりオン・オフの信号を出すことができる第１のスイッチ手段により、音声発生装置によるリズム音の発声、および発光素子４の点滅を実現する。さらに音声発生装置が心肺蘇生に関する案内音声を発する。【選択図】図１
2018033895.tif 000002
【特許請求の範囲】
【請求項１】
少なくとも人体の胸部を外装に描いた心肺蘇生指示装置であって、
音声発生装置を備え、
上記人体の胸部のうち、心肺蘇生の際に押圧が必要となる部分を含む部分に発光素子を配置し、
第１のスイッチ手段により、
上記音声発生装置による音の発声、および／または上記発光素子の点滅が、９０回以上１３０回以下／分を実現し、
且つ上記音声発生装置により、心肺蘇生に関する案内音声を発することを特徴とする心肺蘇生指示装置。
【請求項２】
請求項１に記載の心肺蘇生指示装置において、
前記第１のスイッチ手段とは異なる第２のスイッチ手段により、警報ブザーを鳴らすことができることを特徴とする心肺蘇生指示装置。
【請求項３】
請求項１または２に記載の心肺蘇生指示装置において、
心肺蘇生に関する案内音声の途中または後に、前記音声発生装置が心肺蘇生を行った者に対して感謝または励ましの音声を発することを特徴とする心肺蘇生指示装置。
【請求項４】
請求項１から３のいずれか１項に記載の心肺蘇生指示装置において、
信号を発生させ、当該信号をワイヤレスで送信する装置を備えることを特徴とする心肺蘇生指示装置。
【発明の詳細な説明】
【技術分野】
【０００１】
本発明は、心肺蘇生指示装置に関する。
【背景技術】
【０００２】
心肺蘇生術の実施の必要がある緊急事態が生じたときに、その場で助けに用いて、容易に要救護者に適確な心肺蘇生術を実施可能とした音声による心肺蘇生指示装置が提案されている。
【０００３】
たとえば、名刺入れまたは定期券入れに収容して持ち運び可能な名刺サイズの専用のハードカードを作成し、ハードカード内に音声指示手段を内蔵させて音声心肺蘇生指示装置を構成する。指示装置を普段から身辺に携帯しておくことによって、災害現場等で要救護者に出くわしたときに、何時でも取り出して使用することができる。装置のスイッチボタンを押して音声指示手段を作動させ、心肺蘇生術の手順を音声で案内してもらい、音声の案内を助けにして要救護者に心肺蘇生術を行うことにより、心肺蘇生術の訓練を受けた非専門家の一般市民であっても、適確な実施が可能になる（特許文献１参照）。
【先行技術文献】
【特許文献】
【０００４】
【特許文献１】特開２００７−１３０１２０号公報
【発明の概要】
【発明が解決しようとする課題】
【０００５】
図３は、呼吸停止から心肺蘇生術の開始の時間に対する、蘇生率を示す図である。図３に示すように、呼吸停止からの時間が経過するに従い、心肺蘇生術を行ったとしても蘇生する確率は低くなることがわかる。
【０００６】
そこで本発明の目的は、呼吸停止から心肺蘇生術を短時間で行うことが可能な心肺蘇生指示装置を提供することである。
【課題を解決するための手段】
【０００７】
上記目的を達成するため、本発明に係る心肺蘇生指示装置は、少なくとも人体の胸部を外装に描いた心肺蘇生指示装置であって、音声発生装置を備え、人体の胸部のうち、心肺蘇生の際に押圧が必要となる部分を含む部分に発光素子を配置し、第１のスイッチ手段により、音声発生装置による音の発声、および／または発光素子の点滅が、９０回以上１３０回以下／分を実現し、且つ音声発生装置が心肺蘇生に関する案内音声を発することを特徴とする。
【０００８】
ここで、第１のスイッチ手段とは異なる第２のスイッチ手段により、警報ブザーを鳴らすことができることとしても良い。
【０００９】
また、心肺蘇生に関する案内音声の途中または後に、音声発生装置が心肺蘇生を行った者に対して感謝または励ましの音声を発することとしても良い。
【００１０】
また、信号を発生させ、当該信号をワイヤレスで送信する装置を備えることとしても良い。
【発明の効果】
【００１１】
本発明では、呼吸停止から心肺蘇生術を短時間で行うことが可能な心肺蘇生指示装置を提供することができる。
【図面の簡単な説明】
【００１２】
【図１】（Ａ）は、本発明の実施の形態に係る心肺蘇生指示装置の平面図、（Ｂ）は、本発明の実施の形態に係る心肺蘇生指示装置の背面図である
【図２】本発明の実施の形態に係る心肺蘇生指示装置を駆動させるための要部のブロック図である。
【図３】呼吸停止から心肺蘇生術の開始の時間に対する、蘇生率を示す図である。
【発明を実施するための形態】
【００１３】
以下、本発明の実施の形態に係る心肺蘇生指示装置について、図面を参照しながら説明する。図１（Ａ）は、本発明の実施の形態に係る心肺蘇生指示装置の平面図、図１（Ｂ）は、本発明の実施の形態に係る心肺蘇生指示装置の背面図である。図２は、本発明の実施の形態に係る心肺蘇生指示装置を駆動させる要部のブロック図である。
【００１４】
本発明の実施の形態に係る心肺蘇生指示装置１は、胸部２を外装に描いている。ここで、肩部２ａ，２ａは、人体の肩の部分を表現している。首部２ｂは、丸首Ｔシャツから露出する首の部分を表現するように人体の首の部分を表現している。腕部２ｃ，２ｃは、半袖Ｔシャツから露出する腕の部分を表現するように人体の腕の部分を表現している。剣状突起部２ｄは、胸郭下部の肋骨弓を含めて表現することにより、胸郭と上腹部（心窩部）の境界を表現している。これらの肩部２ａ，２ａ、首部２ｂ、腕部２ｃ，２ｃおよび剣状突起部２ｄの形状を総合的に見ることで、胸部２の形状を把握できる。
【００１５】
また、心肺蘇生指示装置１は、音声発生装置３を有している。胸部２のうち心肺蘇生の際に押圧が必要となる部分（正確には胸骨の下半分に相当する部分）を含む部分には、発光素子であるＬＥＤ（light emitting diode）４を配置している。本実施の形態では、胸部２の真ん中にＬＥＤ４を配置している。また、腕部２ｃ，２ｃの外側にはスライドスイッチ５，５が配置されている。スライドスイッチ５，５は、そのいずれか一方をスライドさせることによりオン・オフの信号を出すことができる第１のスイッチ手段６となる。第１のスイッチ手段をオンすることにより、音声発生装置３による一定のリズムを刻むリズム音の発声、およびＬＥＤ４の点滅を実現する。
【００１６】
さらに音声発生装置３が心肺蘇生に関する案内音声を発する。この音声発生装置３が発する音声は、スピーカ７から発せられる。図１に示すように、本発明の実施の形態に係る心肺蘇生指示装置１は、キーホルダーの形状と大きさをしている。
【００１７】
図２に基いて本発明の実施の形態に係る心肺蘇生指示装置１の動作を説明する。まず、ユーザーがスライドスイッチ５，５のうち、いずれか一方を下方向（図１のＸ方向）に５ｍｍ程度スライドさせることにより、第１のスイッチ手段６をオンにする。すると、ＣＰＵ（Central Processing Unit）８の命令により、照明制御回路９がＬＥＤ４を点滅させる。この点滅は、１１０回／分の一定間隔とする。それと同時にＣＰＵ８の命令により、音声制御回路１０が１１０回／分の一定間隔で間欠的なリズム音を発するようにスピーカ７へ信号を送る。このリズム音の発するタイミングおよび一度に発する音長は、ＬＥＤ４の点滅のタイミングに合わせる。
【００１８】
なお、音声制御回路１０とスピーカ７により音声発生装置３が構成され、照明制御回路９とＬＥＤ４により照明装置１１が構成される。また、ＣＰＵ８と照明制御回路９と音声制御回路１０は、１チップのＩＣ１２である。
【００１９】
そして、音声制御回路１０がリズム音を発するようにスピーカ７に信号を送るのとほぼ同時に、音声制御回路１０が心肺蘇生に関する案内音声を発するようスピーカ７に信号を送る。心肺蘇生に関する案内音声は、２８秒間で説明を終える心肺蘇生のやり方を教えるものであるが、その説明はスイッチ手段６をオフにするまで繰り返される。心肺蘇生に関する案内音声は、リズム音と混ざって聞こえることとなる。
【００２０】
ユーザーがスライドスイッチ５，５のうち、下方向にスライドさせたものを、元に戻すことにより、第１のスイッチ手段６をオフとする。すると、それまでＣＰＵ８が照明制御回路９と音声制御回路１０とに対して行っていた命令を全てやめる。そしてＣＰＵ８は、第１のスイッチ手段６がオフになると、新たな命令として音声制御回路１０が心肺蘇生を行った者に対して感謝の言葉（音声）を発するようスピーカ７へ信号を送る。以上が本発明の実施の形態に係る心肺蘇生指示装置１の動作である。
【００２１】
（本発明の実施の形態によって得られる主な効果）
本発明の実施の形態に係る心肺蘇生指示装置１は、その外装に描かれた胸部２の中央位置には、ＬＥＤ４が配置されている。そのため、心肺蘇生の際に押圧すべき場所（胸骨の下半分）の位置を、素早く的確に把握できる。また、心肺蘇生に関する案内音声が２８秒と短いため、それを全部聞いてから心肺蘇生の行動を起こす場合でも、迅速な行動となる。
【００２２】
スライドスイッチ５，５を２つ設け、そのうち、いずれか一方を操作することで操作可能とすることにより、右利きの人にも左利きの人にも同程度の使いやすさを実現できる。また、心肺蘇生をする際は緊急事態であるため、このようなスライドスイッチ５，５の配置にすることにより、慌てていてもいずれかのスライドスイッチ５，５を操作すれば良く、短時間で心肺蘇生の行動を起こすことができる。
【００２３】
また、本発明の実施の形態に係る心肺蘇生指示装置１は、その動作中音声発生装置３による間欠的なリズム音および照明制御回路９によるＬＥＤ４の点滅により、１１０回／分という心肺蘇生の際に胸部２を押圧すべきタイミングを把握できる。
【００２４】
また、本発明の実施の形態に係る心肺蘇生指示装置１は、一連の動作を行った後に、心肺蘇生を行った者に対して感謝の言葉を発する。医療を業としない一般の者は、緊急事態の場面で心肺蘇生を行ったことを後悔し、心的外傷後ストレス障害等を患うことがある。このような者に対して、感謝の言葉をかけることで、幾分か精神的負担の軽減を図ることができる。
【００２５】
（他の形態）
上述した本発明の実施の形態に係る心肺蘇生指示装置１は、本発明の好適な形態の一例ではあるが、これに限定されるものではなく本発明の要旨を変更しない範囲において種々の変形実施が可能である。
【００２６】
たとえば、本発明の実施の形態に係る心肺蘇生指示装置１は、照明制御回路９によるＬＥＤ４の点滅動作と音声発生装置３が一定間隔で間欠的なリズム音を発する動作の双方を行うようにしている。しかしながら、これらの動作はどちらか一方で足りることがある。また、その間隔は１１０回／分としているが、９０回以上１３０回以下／分の範囲で変更可能である。
【００２７】
また、リズム音の発するタイミングおよび一度に発する音長は、照明制御回路９によるＬＥＤ４の点滅のタイミングに合わせている。しかしながら、このような動作は必要でない場合がある。さらに音声発生装置３は、リズム音を発することとしているが、リズム音に限らない。
【００２８】
また、心肺蘇生に関する案内音声は、２８秒間で説明を終えるようにしているが、どのような長さでも良い。さらにこの案内音声は繰り返すようにしているがそのような必要はない。
【００２９】
また、人体の胸部２は、外装の形状を胸部２の全部または一部の形状を絵で描いでもよく、また本実施の形態のように外装の一部または全部を造形して表現しても良い。また、本実施の形態では、肩部２ａ，２ａ、首部２ｂ、腕部２ｃ，２ｃおよび剣状突起部２ｄで胸部２を表現したが、他の表現方法を用いても良い。
【００３０】
発光素子は、ＬＥＤ４からなることとしているが、有機ＥＬ等の他の発光素子を用いても良い。
【００３１】
また、第１のスイッチ手段６は、スライドスイッチ５，５のうち、いずれか一方を下方向（図１のＸ方向）に５ｍｍ程度スライドさせたり、そのスライド動作を元に戻すことによりオン・オフの信号を出しているが、他の動作に変えることができる。
【００３２】
また、本発明の実施の形態に係る心肺蘇生指示装置１は、一連の動作を行った後に、心肺蘇生を行った者に対して感謝の言葉を発することとしている。しかしながら、これは必須の構成要素ではないため、省略することができる。また、感謝の言葉に代えて励ましの言葉（音声）としても良い。また、感謝の言葉を発するタイミングは、第１のスイッチ手段６をオフにするタイミングに限らず、案内音声の途中等にも発するようにすることができる。
【００３３】
ここで、第１のスイッチ手段６とは異なる突起状の第２のスイッチ手段１４により、警報ブザーを鳴らすことができることとしても良い。ここで、第２のスイッチ手段１４は、その突起を引っ張ることにより、オンの状態とすることができ、それを元に戻すことによりオフの状態とすることができるが、このようなオン・オフの動作以外のオン・オフの動作を採用しても良い。第２のスイッチ手段１４は、心肺蘇生のための機器に限らない用途を付加することで、常に持ち歩ことを促すためのものである。また第２のスイッチ手段１４は、心肺蘇生の最中に他の人の助けを借りたいことがあるため、心肺蘇生の最中に、警報ブザーを鳴らして人の注意を惹くようにするためのものである。
【００３４】
また、スライドスイッチ５，５のうち、いずれか一方を下方向（図１のＸ方向）に５ｍｍ程度スライドさせることにより、第１のスイッチ手段６をオンにしている。ここでたとえば、スライドスイッチ５，５の両方を下方向にスライドさせる等により、音声発生装置３が発するリズム音と心肺蘇生に関する案内音声の音量を小さくしても、また大きくしても良い。このような音量調整機能を設けることで、実際に心肺蘇生をする際の大音量の音量を常に流すこと無く、心肺蘇生の練習等の場合のように、小音量の音量で足りる場面に要求される音量を流すことができる。
【００３５】
また、本発明の心肺蘇生指示装置１において、信号を発生させ、当該信号をワイヤレスで送信する装置を備えることとしても良い。この信号を受信した者、たとえば最寄の医療機関等は、その信号の発生位置を把握でき、極力早く現場へと駆けつけることができる。なお、たとえばこの信号は、電波等である。また、この信号の発生のタイミングは、たとえば第１のスイッチ手段６をオンにした時、または第２のスイッチ手段１４をオンにした時、等とすることができる。
【符号の説明】
【００３６】
１  心肺蘇生指示装置
２  胸部
３  音声発生装置
４  ＬＥＤ（発光素子）
６  第１のスイッチ手段
【図１】
2018033895.tif 000003
【図２】
2018033895.tif 000004
【図３】
2018033895.tif 000005